(57)【要約】【課題】  処理コストが安価であり、かつ設置が容易な浄化処理用シート類を提供する。【解決手段】  面状の寸法に形成された通気性を有し袋状に縫合した構造のシート１と、シート１の内部をマトリックス状に区画して形成した複数の袋体１ｃと、袋体１ｃ内に充填された浄化剤２とを有している。本発明の浄化処理用シート類は、モジュール化された複数のシート１を連結することにより、有害物質が揮発する全領域を覆う面積のシートを形成する。或は予め有害物質が揮発する全領域を覆う面積寸法にシートを裁断する。そして、これらのシート類にて、有害物質が揮発する全領域を覆う。【選択図】      図１
2005279543.tif 000002
【特許請求の範囲】
【請求項１】
面状の寸法に形成された通気性を有し袋状に縫合した構造のシートと、
前記シートの内部をマトリックス状に区画して形成された複数の袋体と、
前記袋体内に充填された浄化剤と、
を有することを特徴とする浄化処理用シート類。
【請求項２】
前記シートは、モジュール化された寸法に形成され、
当該モジュール化された複数のシートを連結してシート類を形成したことを特徴とする請求項１に記載の浄化処理用シート類。
【請求項３】
前記シートは、有害物質の捕捉に必要な面積に合せて予め裁断されたことを特徴とする請求項１に記載の浄化処理用シート類。
【請求項４】
前記浄化剤は、細孔構造及び／又は化学構造により有害物質を捕捉するものであることを特徴する請求項１に記載の浄化処理用シート類。
【請求項５】
前記浄化剤は、細孔構造，化学構造，還元剤＋酸化剤の組合せにより有害物質を捕捉するものであることを特徴する請求項１に記載の浄化処理用シート類。
【請求項６】
前記細孔構造の浄化剤は、細孔構造に有害物質の分子を吸着反応により捕捉することを特徴とする請求項４又は５に記載の浄化処理用シート類。
【請求項７】
前記化学構造の浄化剤は、Ｃａイオンと有害物質との化学反応により当該有害物質を捕捉することを特徴とする請求項４又は５に記載の浄化処理用シート類。
【請求項８】
前記シートに、有害物質の揮発する領域に固定する固定部を設けたことを特徴とする請求項１に記載の浄化処理用シート類。
【発明の詳細な説明】
【技術分野】
【０００１】
本発明は浄化処理用シート類に関し、特にホットソイル法などの養生シート類としても用いられる浄化処理用シート類に関する。
【背景技術】
【０００２】
ゴミ処理場などに集積された汚染土壌或は産業廃棄物などには、毒物，劇物などの有害物質が含まれている。これらの汚染土壌或は産業廃棄物などは、高度経済成長期に多く発生しており、最近、健康への影響，次世代への影響などが叫ばれるようになっている。
【０００３】
そこで、土壌汚染をめぐる社会的状況の変化から、土壌汚染対策の機運が高まり、土壌汚染対策法案が２００２年２月に閣議決定され、土壌汚染対策法が２００３年２月１５日から施行されている。
【０００４】
ゴミ処理場などに集積された汚染土壌或は産業廃棄物などに含まれる有害物質を除去する有害物質の処理方法が各種開発されている。
【０００５】
ところで、有害物質に含まれる揮発性有機化合物（Volatile Organic Compounds;VOC）は油脂類の溶解能力が高く、しかも、分解しにくく化学物資として安定して燃えにくいなどの性質がある。このため、１９７０年代には理想の洗浄剤として産業界に普及した。ところが、最近、揮発性有機化合物（VOC）は、吸入による頭痛やめまい、腎障害或は癌の発生などを引き起す可能性があることが指摘されている。また、揮発性有機化合物（VOC）は大気・水域，地下水汚濁の原因となるほか、住宅の室内空気汚染物質としても注目され、TVOC（総有害物質）という概念も提唱されている。
【０００６】
揮発性有機化合物の除去方法としては、ホットソイル法が提案されている。このホットソイル法は、揮発性有機化合物が含まれた土壌に、水と反応する無機化合物を混合し、土壌中の揮発性有機化合物を揮発させるというシステムである。
【特許文献１】特許第２５８９００２号
【発明の開示】
【発明が解決しようとする課題】
【０００７】
上述したように、特許第２５８９００２号に開示されたホットソイル法は、土壌中から揮発性有機化合物が揮発するため、この揮発した揮発性有機化合物の処理が問題となる。この特許では、揮発した揮発性有機化合物の揮発を閉鎖した雰囲気中で行い、揮発した揮発性有機化合物を活性炭などの吸着剤に吸着させる方法が提案されている。或は閉鎖した雰囲気を形成するビニールハウスに粒状活性炭塔を備えた排ガス処理装置を付設することが提案されている。
【０００８】
しかしながら、揮発した揮発性有機化合物を処理するシステムが具体性に欠け、実際に揮発した揮発性有機化合物を処理するには不十分なものであり、改良の余地が残されているものと思われる。
【０００９】
本発明の目的は、処理コストが安価であり、かつ設置が容易な浄化処理用シート類を提供することにある。
【課題を解決するための手段】
【００１０】
前記目的を達成するため、本発明に係る浄化処理用シート類は、面状の寸法に形成され、通気性を有し袋状に縫合した構造のシートと、前記シートの内部をマトリックス状に区画して形成した複数の袋体と、前記袋体内に充填された浄化剤とを有することを特徴とするものである。
【００１１】
本発明に係る浄化処理用シート類は、モジュール化された複数のシートを連結することにより、有害物質が揮発する全領域を覆う面積のシートを形成する。或は予め有害物質が揮発する全領域を覆う面積寸法にシートを裁断する。そして、これらのシート類のシートにて、有害物質が揮発する全領域を覆う。
【００１２】
ホットソイル法の養生シートに用いた場合を例にとって説明する。ホットソイル法により汚染土壌を処理すると、有害物質が揮発する。この揮発した有害物質は、シートが通気性を有しているため、シートを透過する。シートを透過する際に、揮発した有害物質は、シートに内蔵された浄化剤に接触し、この浄化剤に捕捉される。使用済みの養生シート類は焼却などにより最終的に処分される。なお、ホットソイル法の養生シートとして説明したが、本発明の浄化処理用シート類は、ホットソイル法の養生シート類以外にも用いることができるものである。
【発明の効果】
【００１３】
以上説明したように本発明によれば、浄化剤を内蔵したシートにて揮発性有機化合物が揮発する領域を覆うことにより、揮発した有害物質を捕捉することができる。
【００１４】
したがって、従来のように、粒状活性炭塔を備えた排ガス処理装置を付設することがなく、ランニングコストを安価にすることができる。
【００１５】
さらに、面状のシート類単体により有害物質の捕捉を行うことができるため、有害物質の揮発養生を行うための閉鎖した雰囲気を形成する場合にも、このシート類以外に排ガス処理設備を必要とすることがなく、このような使用形態の場合にもランニングコストを安価にすることができる。
【００１６】
さらにシート類は不織布或は織布などのシートにより構成されているため、有害物質を含んだ汚染土壌などに馴染みやすく、しかも、その取扱が容易であるため、汚染土壌などと大気との隔離作業を簡単に行うことができる。さらにシート類は不織布或は織布などのシートにより構成されているため、このシート類を運搬車に搭載し、汚染土壌などが集積された集積場に運搬車を乗入れてシート類を必要な箇所に投入することにより、その設置を完了させることができ、シート類の設置作業を容易に行うことができる。しかも、運搬車を汚染土壌上に走行させることはホットソイル法に用いた場合、ホットソイル法における転圧（特許第２５８９００２号参照）に相当し、転圧とシート類の設置とを同時に進行させることができ、作業効率を向上させることができる。
【００１７】
さらに浄化剤として、細孔構造及び／又は化学構造により捕捉を行うタイプ、或は細孔構造，化学構造，還元剤＋酸化剤の組合せにより捕捉を行うタイプのもの、すなわち自然界に存在する浄化剤を使用するため、使用済みシート類の処理の際に大気に悪影響を及ぼす物質を発生させることがなく、極めて理想的な浄化処理用シート類を提供することができる。
【発明を実施するための最良の形態】
【００１８】
以下、本発明の実施形態を図に基いて説明する。
図１に示すように、本発明の実施形態に係る浄化処理用シート類は、面状の寸法に形成されたシート１を有している。このシート１は、２枚の不織布１ａ，１ｂを袋状に縫合した構造になっている。２枚の不織布１ａ，１ｂの重ね合わせた外周縁部１ｄは、熱シールなどにより熱を加えて一体に縫合され、シート１の内部が袋状に形成されている。なお、シート１としては、不織布に代えて織布などのシートを用いてもよいものである。要は、シート１は通気性を有し、焼却処分などにより有害物質などの二次公害を発生させないものであれば、いずれのものでもよい。
【００１９】
シート１は図２に示すように、内部に複数の袋体１ｃを備えている。これらの複数の袋体１ｃは図１に示すように、２枚の不織布１ａ，１ｂに一定間隔で直線状の縫合部１ｅをマトリックス状に設けることよりシート１の内部をマトリックス状に区画して形成されている。そして、隣接する袋体１ｃの間は直線状の縫合部１ｅにより分離されている。区画形成された各袋体１ｃ内には図２に示すように、浄化剤２が充填されている。
【００２０】
浄化剤２を袋体１ｃ内に充填するには次のような作業工程を経て行われる。先ず浄化剤２を通気性の袋に詰め、この袋を２枚の不織布１ａ，１ｂ間に通してシート１内にマトリックス状に配置する。次に、直線状の縫合部１ｅをシート１上に形成することにより、袋体１ｃの形成と袋体１ｃ内への浄化剤２の充填を行う。これにより、浄化剤２を袋体１ｃ内に充填する。なお、上述した浄化剤２を袋体１ｃ内に充填する作業は一例を示すものであり、これ以外の作業により浄化剤２の充填作業を行うようにしてもよいものである。
【００２１】
浄化剤２としては、細孔構造及び／又は化学構造により有害物質を捕捉する浄化剤、或は細孔構造及び，化学構造，還元剤＋酸化剤により有害物質を捕捉する浄化剤が用いられる。具体的には、細孔構造の浄化剤としては、木炭，竹炭，貝化石（珪藻土，アルミナ），ゼオライトなどの浄化剤を用いる。化学構造の浄化剤としては、シラス，二酸化チタニア，炭化チタン，苦土石灰，菱苦土鉱及び白雲母，ゼオライト，生石灰等のＣａイオンを有する浄化剤，或は還元剤（鉄紛）＋酸化剤などの浄化剤を用いる。なお、鉄粉（還元剤）＋酸化剤の場合、酸化剤としては過マンガンカリウム（ＫＭｎＯ４）が適している。
【００２２】
また代表的な有害物質、特に揮発性有害物質を列記すると、トリクロロエチレン，テトラクロロエチレン，1.1.1−トリクロロエタンなどを代表例として挙げることができる。これらの最小分子径を列記すると、トリクロロエチレン＝３．２ｎｍ（３２オングストローム），テトラクロロエチレン＝４．２ｎｍ（４２オングストローム），1.1.1−トリクロロエタン＝３．２ｎｍ（３２オングストローム）である。
一方、浄化剤２として用いる貝化石を電子顕微鏡にて観察すると、細孔の孔径は５〜１７５０ｎｍの範囲である。細孔の孔径が５〜１０ｎｍであれば、その細孔の開口部に位置するマクロポアを通して内部のメソポア及びミクロポアに向けて有害物質の分子を通スことが可能である。
【００２３】
浄化剤の細孔構造は孔径によってマクロポアと、メソポアと、ミクロポアとに区別される。そして、分子が小さい有害物質（特に揮発性有機化合物）を表面積が小さいミクロポアに吸着し、分子が大きい有害物質（特に揮発性有機化合物）を表面積が大きいメソポアに吸着することにより、揮発性有機化合物を捕捉しているものと考えられる。そして、揮発性有機化合物は、揮発性有機化合物の分子と貝化石の分子とがイオン結合し、吸着反応が行われて捕捉されると考えられる。なお、マクロポアは、揮発性有機化合物の分子がメソポアやミクロポアに入るための孔として作用しているものと思われる。この場合、浄化剤の粒子の直径が０．５ｍｍ〜５ｍｍの範囲に設定することが望ましいものである。
【００２４】
また、化学構造の浄化剤は、その主成分ＣａＯ（実際の成分がＣａＣＯ３）であり、このＣａＣＯ３は水に反応しないものである。実験の結果、化学構造のＣａＣＯ３の存在により、有害物質（特に揮発性有機化合物）は捕捉されていることが確められている。この場合、化学構造の浄化剤の粒子は、その直径が０．５ｍｍ〜５ｍｍの範囲のものを用いている。この化学現象を解析する。発明者らは、この現象を解析するため、下記の推論を試みた。すなわち、ＣａＣＯ３は水に溶解するため、次式のように解離する。
ＣａＣＯ３    →    Ｃａ＋＋    ＋    ＣＯ３――
有害物質（揮発性有機化合物）としてトリクロロエチレンを例にとって説明する。トリクロロエチレンを酸化すると、
２Ｃｌ２Ｃ＝ＣＨＣｌ＋６Ｏ２＋３Ｈ２Ｏ  →  ４ＣＯ２＋Ｈ２Ｏ＋３Ｃｌ２＋Ｈ２Ｏ
になり、このＣＯ２がＣａＣＯ３と反応して以下の捕捉状態となる。
ＣａＣＯ３＋Ｈ２ＣＯ３  →  Ｃａ（ＨＣＯ３）２
あるいはＣａＣＯ３＋ＣＯ２＋Ｈ２Ｏ  →  Ｃａ（ＨＣＯ３）２（重炭酸カルシウム）、つまり可溶になる。
【００２５】
上述したＣａＯがトリクロロエチレンを捕捉する原理は、次のように考えられる。すなわち、（１）Ｃａイオンの存在により、トリクロロエチレンの溶媒をＣａ（ＨＣＯ２）２の生成物として抽出する。（２）この抽出したＣａ（ＨＣＯ２）２を微細粒子の表面にイオン結合による吸着反応によりトラップする。
この考え方からすると、Ｃａイオンの存在により有害物質から抽出した水溶化合物、例えばＣａ（ＨＣＯ２）２をより有効に捕捉するには、細孔構造の微細粒子を併用することが望ましいものである。これらの２種類の微細粒子を併用することにより、化学構造の微細粒子のＣａイオンにより有害物質から水溶化合物を抽出し、この抽出した水溶化合物を微細粒子の細孔構造に捕捉させることができる。
上述したように、細孔構造の微細粒子と化学構造の微細粒子とを併用する場合、細孔構造の微細粒子による捕捉率は化学構造の微細粒子よりも大きいことが実験の結果わかっている。そのため、細孔構造の微細粒子の割合を５０〜７０％、化学構造の微細粒子の割合を３０〜７０％の範囲に設定することが望ましいものである。細孔構造の微細粒子として木炭を用いた場合、シラス２０％，貝化石２０％，木炭１０％，ゼオライト５０％の割合に混合することが望ましい。なお、この混合率に限定されるものではない。要は、細孔構造の微細粒子の割合を５０〜７０％、化学構造の微細粒子の割合を３０〜７０％の範囲に設定し、細孔構造の微細粒子の機能と化学構造の微細粒子の機能とを最大限発揮させることが望ましいものである。
【００２６】
これらの浄化剤２とシート１のメッシュとの関係を説明すると、シート１のメッシュの大きさは、浄化剤が脱落しない程度の大きさであればよいこととなる。したがって、浄化剤２の粒径を考慮してシート１のメッシュの大きさを設定することとなる。
【００２７】
仕上ったシート１は、不織布１ａ，１ｂの縫合された外周縁部１ｄ及び直線状の縫合部１ｅが非通気性となり、これ以外の袋体１ｃの箇所が通気性をもつこととなる。
【００２８】
シート１は図３（ａ），（ｂ）に示すように、非通気性を有する外周縁部１ｄ，直線状の縫合部１ｅに必要数の鳩目３が設けられている。そして、図３（ｂ）に示すように鳩目３内に杭４が挿通され、図６に示すように杭４を地面に打込むことにより、シート１を有害物質が揮発する領域に固定するようになっている。なお、鳩目３の内周と杭４の外周との間から揮発した有害物質が浄化されずにシート１を通過することを防止するために、鳩目３と杭４との間を気密シールするようになっている。
【００２９】
シート１は図４（ａ）に示すように、有害物質が揮発する領域を覆うのに十分な面積の寸法に裁断される。
【００３０】
或は、シート１は図４（ｂ）に示すように、その寸法がモジュール化され、モジュール化された寸法をもつシート１を予め複数用意しておく。シート１は、これを設置現場に搬送する際に便利なような寸法でモジュール化されることとなる。シート１をモジュール化する場合、その外形形状は、長方形，正方形などの矩形形状、或は多角形状のいずれでもよく、有害物質が揮発する領域を覆うことができる形状であれば、いずれのものでもよい。
【００３１】
前記モジュール化されたシート１は複数組合せて用いられる。すなわち、図４（ｂ）に示すようにモジュール化されたシート１は複数連結して、十分な面積のシート類に形成する。隣接するシート１は連結具５により相互間が一体に連結される。
【００３２】
連結具５の一例を図５に示す。連結具５は図５（ａ）に示すように、雌部５ａと雄部５ｂとから形成されている。雌部５ａは図５（ｂ）に示すように、略コ字状に屈曲形成されている。コ字状の下段部５ａ１は上段部５ａ２より横寸法が長く設定されており、この下段部５ａ１を使って雌部５ａがシート１の外周縁部１ｄに取付けられる。
【００３３】
雄部５ｂは図５（ｃ）に示すように、クランク状に屈曲形成されている。クランクの下段部５ｂ１と上段部５ｂ２とは相反する方向に伸びており、雌部５ａから離間する方向に伸びた下段部５ｂ１を使って雄部５ｂがシート１の外周縁部１ｄに取付けられる。上段部５ｂ２は雌部５ａに伸びており、その先端に鍵部５ｂ３を形成している。
【００３４】
なお、雌部５ａと雄部５ｂとをシート１の外周縁部１ｄに取付ける場合には、シート１の端部との間に若干の隙間を持たせる、すなわちシート１の端部から内側に後退した位置に取付けることが望ましい。このようにすることにより、雌部５ａと雄部５ｂとを結合する際に、隣接するシート１の端部が互いに圧縮されて面接触することとなり、隣接するシート１の端部間が気密シールされるからである。これにより、隣接するシート１の間から無害化されない揮発性有害物質が大気に向けて漏洩するのを防止することができる。
【００３５】
連結具５の雌部５ａと雄部５ｂとを結合するには、これらをシート１の外周縁部１ｄの辺方向（図５（ａ）の矢印方向）に位置をずらせて対峙させる。次に、雌部５ａと雄部５ｂとのいずれか一方を相手側に近付ける。そして、雌部５ａの上段部５ａ２の先端部を雄部５ｂの鍵部５ｂ３内に嵌め込む。次に、一方のシート１をシート１の辺方向（図５（ａ）の矢印方向）に移動させ、雌部５ａの上段部５ａ２の全体を雄部５ｂの鍵部５ｂ３内に嵌め込む。
【００３６】
なお、シート１に連結具５を取付ける際には図４（ａ）に示すように、シート１の縦方向と横方向の外周縁部１ｄに向きを代えて取付けられるため、シート１の縦方向或は横方向に引張り力が加わっても、連結具５が外れることはない。なお、連結具５は一例を示すものであり、隣接するシート１の間を連結できる構造のものであれば、いずれのものでもよい。
【００３７】
次に、モジュール化されたシート１（図４（ａ）参照）によるシート類を用いて汚染土壌の表面を大気から隔離する場合について説明する。
【００３８】
先ず、図６に示す揮発性有害物質を含む汚染土壌６の表面面積を計測すると共に、シート１により覆う汚染土壌６の表面形状を見極める。
【００３９】
計測した汚染土壌６の表面積を覆うのに必要なシート１の枚数を割りだす。その割出した枚数のシート１を、汚染土壌６の表面形状に合せて面状に並べる。
【００４０】
次に、面状に並べたシート１を連結具５により連結する。すなわち、連結具５の雌部５ａと雄部５ｂとをシート１の外周縁部１ｄの辺方向（図５（ａ）の矢印方向）に位置をずらせて対峙させる。次に、雌部５ａと雄部５ｂとのいずれか一方を相手側に近付ける。そして、雌部５ａの上段部５ａ２の先端部を雄部５ｂの鍵部５ｂ３内に嵌め込む。次に、一方のシート１をその辺方向（図５（ａ）の矢印方向）に移動させ、雌部５ａの上段部５ａ２の全体を雄部５ｂの鍵部５ｂ３内に嵌め込む。
【００４１】
また、雌部５ａと雄部５ｂとを結合する際に、隣接するシート１の端部が互いに圧縮されて面接触することとなり、隣接するシート１の端部間が気密シールされる。
【００４２】
以上の過程を経て汚染土壌６の表面を覆うのに必要な面積を有する１枚もののシート類が形成される。このシート類を用いて図６に示すように、汚染土壌６の表面を覆う。図６（ａ）は、汚染土壌６の表面部分のみが地面７から露出している状態を示している。図６（ｂ）は、汚染土壌６が地面７から盛り上がって堆積されている状態を示している。なお、汚染土壌６の集積状態は図６に示すものに限られるものではない。
【００４３】
汚染土壌６の表面をシート類により覆うことが完了したときに、シート１の鳩目３に杭４を通し、この杭４を地面７及び汚染土壌６に打ち込むことにより、シート類を固定する。
【００４４】
ホットソイル法により汚染土壌から揮発した有害物質は、汚染土壌の表面がシート類に覆われているため、通気性を有する部分を通って大気中に拡散される。
【００４５】
本発明に係るシート類において、通気性を有する箇所は、シート１の袋体１ｃの部分である。したがって、汚染土壌６から揮発した有害物質はシート１の袋体１ｃを通過しようとする。
【００４６】
シート１の袋体１ｃを揮発性有機化合物が通過する際に、揮発性有機化合物は袋体１ｃ内の浄化剤２に接触する。その接触過程において、揮発性有機化合物は、浄化剤に気相又は液相吸着されて捕捉され、或は無害化される。
【００４７】
したがって、汚染土壌からシート類を通過して大気中に拡散される気体は清浄な空気のみとなる。したがって、汚染土壌から揮発性有機化合物が未処理の状態で大気中に拡散されることはなく、汚染土壌による人への健康被害を与えることを回避することができる。
【００４８】
また、汚染土壌の表面にシート類を設置する場合について説明する。
【００４９】
シート類が図４（ａ）に示すような１枚ものである場合には、このシート類を運搬しやすい大きさに折畳み、この折畳んだシート類を設置場所に運び、これを広げることにより、汚染土壌の表面を覆う。
【００５０】
図４（ｂ）に示すようなモジュール化された複数のシート１からなるシート類の場合には、モジュール化された複数のシート１を重ねて運搬車に搭載する。そして、この運搬車により汚染土壌の存在する場所に運び込む。そして、汚染土壌の領域を移動しながら、モジュール化されたシート１を１枚ずつ引き下す。この作業が完了した時点で隣接するシート１を連結具５により互いを連結し、必要な面積をもつシート類を構築する。この組みあがったシート類により汚染土壌の表面を覆う。
【００５１】
また、汚染土壌６が地面７に埋め込まれて一部が地表に露出している場合には、その露出した部分をシート類により覆う（図６（ａ）参照）。また、汚染土壌６が地面７から盛り上がって堆積されているような場合には、シート類がシートであるという特性を利用して、シート類による盛り上がった汚染土壌６の表面を覆う。
【００５２】
なお、上述した説明では、本発明のシート類をホットソイル法の養生シート類に用いた場合について説明したが、これに限られるものではなく、水洗法による洗浄により汚染土壌などから分離する有害物質（特に揮発性有害物質）を捕捉するシート類に用いてもよい。また、揮発性有害物質を対象としたが、本発明のシート類を液槽内にフィルタとして設置し、洗浄水に溶解した有害物質を捕捉するようにしてもよいものである。要は、本発明に係る浄化処理用シート類は有害物質（特に揮発性有機化合物）を細孔構造及び／又は化学構造により捕捉する、或は細孔構造，化学構造，還元剤＋酸化剤により捕捉する方法に用いる場合であれば、その用途は限定されるものではない。また、有害物質が揮発する領域を覆う際に、図６に示す例では一重のシート類にて覆ったが、これに限られるものではない。例えば図７に示すように、シート類を幾重にも上下に重ね、しかも各段のシート類の浄化剤２を内包した袋体１ｃを左右にずらせて重ねる。そして、有害物質が揮発する領域全てが浄化剤２にて覆われるように設置すれば、さらに揮発した有害物質の捕捉効率を向上させることができる。
【産業上の利用可能性】
【００５３】
以上説明したように本発明によれば、揮発した揮発性有機化合物を捕捉するための構造がシート構造であるため、その取扱及び設置が容易であるという効果を奏するものである。
【図面の簡単な説明】
【００５４】
【図１】本発明のシート類を形成するためのシートを示す斜視図である。
【図２】図１のＩＩ―ＩＩ線に沿う断面図である。
【図３】（ａ）は、シートに設ける鳩目を示す断面図、（ｂ）は、（ａ）に示す鳩目に杭を通した状態を示す断面図である。
【図４】（ａ）は、一枚のものシート類を示す平面図、（ｂ）は、モジュール化されたシートを複数組合せて形成したシート類を示す平面図である。
【図５】（ａ）は、モジュール化されたシート同士を連結する連結具を示す斜視図、（ｂ）は、連結具の雌部を示す斜視図、（ｃ）は、連結具の雄部を示す斜視図である。
【図６】（ａ）及び（ｂ）は、汚染土壌の堆積状態を示す図である。
【図７】本発明に係るシート類を幾重にも重ねて設置した場合を示す図である。
【符号の説明】
【００５５】
１  シート
１ａ，１ｂ  不織布
１ｃ  袋体
２  浄化剤
５  連結具
【図１】
2005279543.tif 000003
【図２】
2005279543.tif 000004
【図３】
2005279543.tif 000005
【図４】
2005279543.tif 000006
【図５】
2005279543.tif 000007
【図６】
2005279543.tif 000008
【図７】
2005279543.tif 000009